(57)【要約】【課題】キーやボタンに割り当てられる機能を周囲の明るさに応じて変更することの可能な情報処理装置を提供することを目的とする。【解決手段】本実施形態に係る情報処理装置は、本体筐体と、前記本体筐体の上面を覆う閉じ位置と、前記本体筐体の上面が開放される開き位置との間で回動可能となるように前記本体筐体に接続される表示筐体と、前記本体筐体周囲の照度を検出する照度センサと、前記本体筐体の上面に設けられた少なくとも一つのボタンと、前記照度センサにより検出される照度と前記ボタンに割り当てられる機能とを対応付けて設定するためのユーザインタフェースと、前記ボタンが操作された時に、前記照度センサによる検出結果と前記ユーザインタフェースを通じた設定とに応じた機能を実行するためのコードを出力する手段と、を備える。【選択図】  図１
2011159083.tif 000002
【特許請求の範囲】
【請求項１】
情報処理装置であって、
本体筐体と、
前記本体筐体の上面を覆う閉じ位置と、前記本体筐体の上面が開放される開き位置との間で回動可能となるように前記本体筐体に接続される表示筐体と、
前記本体筐体周囲の照度を検出する照度センサと、
前記本体筐体の上面に設けられた少なくとも一つのボタンと、
前記照度センサにより検出される照度と前記ボタンに割り当てられる機能とを対応付けて設定するためのユーザインタフェースと、
前記ボタンが操作された時に、前記照度センサによる検出結果と前記ユーザインタフェースを通じた設定とに応じた機能を実行するためのコードを出力する手段と、
を備えることを特徴とする情報処理装置。
【請求項２】
前記ユーザインタフェースは、前記照度センサにより第１の照度が検出される場合に前記ボタンに割り当てられる第１の機能と、前記照度センサにより第２の照度が検出される場合に前記ボタンに割り当てられる第２の機能とを設定可能であることを特徴とする請求項１記載の情報処理装置。
【請求項３】
前記ユーザインタフェースは、前記照度センサにより検出される照度を第１の照度として扱うか、第１の照度よりも大きい第２の照度として扱うかを決める閾値となる基準照度を設定可能であることを特徴とする請求項２記載の情報処理装置。
【請求項４】
前記照度センサにより第１の照度が検出される場合に前記ボタンに割り当てられる第１の機能と、前記照度センサにより第２の照度が検出される場合に前記ボタンに割り当てられる第２の機能とを同一の機能として設定可能であることを特徴とする請求項３記載の情報処理装置。
【請求項５】
情報処理装置であって、
本体筐体と、
前記本体筐体の上面を覆う閉じ位置と、前記本体筐体の上面が開放される開き位置との間で回動可能となるように前記本体筐体に接続される表示筐体と、
前記照度センサ周囲の照度を検出する照度センサと、
前記本体筐体の上面に設けられた少なくとも一つのボタンと、
前記照度センサにより検出される照度と前記ボタンに割り当てられる機能とを対応付けて設定する設定手段と、
前記ボタンが操作された時に、前記照度センサによる検出結果と前記設定手段による設定とに応じた機能を実行させる制御手段と、
を備えることを特徴とする情報処理装置。
【請求項６】
前記設定手段は、前記照度センサにより第１の照度が検出される場合に前記ボタンに割り当てられる第１の機能と、前記照度センサにより第２の照度が検出される場合に前記ボタンに割り当てられる第２の機能とを設定可能であることを特徴とする請求項５記載の情報処理装置。
【請求項７】
前記設定手段は、前記照度センサにより検出される照度を第１の照度として扱うか、第１の照度よりも大きい第２の照度として扱うかを決める閾値となる基準照度を設定可能であることを特徴とする請求項６記載の情報処理装置。
【請求項８】
前記照度センサにより第１の照度が検出される場合に前記ボタンに割り当てられる第１の機能と、前記照度センサにより第２の照度が検出される場合に前記ボタンに割り当てられる第２の機能とを同一の機能として設定可能であることを特徴とする請求項７記載の情報処理装置。
【発明の詳細な説明】
【技術分野】
【０００１】
本発明は、照度センサを備える情報処理装置に関する。
【背景技術】
【０００２】
パーソナルコンピュータに代表される情報処理装置は、ユーザが装置を持ち運ぶことを前提に設計されていることが多い。ノート型のパーソナルコンピュータは、オフィス以外にも、飛行機等の輸送機内や出張先のホテルで使用されることもある。そのため、パーソナルコンピュータが十分に明るい場所で使用されることもあれば、例えば飛行機内の消灯時の客席や、間接照明で照らされたホテル室内のように薄暗い場所で使用されることもある。パーソナルコンピュータを一例として、明るさの異なる環境での使用が想定される機器には照度センサが設けられることがある。
【０００３】
ユーザの利便性向上のために、周囲環境の照度に応じた制御を行う機器の例として、特許文献１にはリモコン装置が開示されている。リモコン装置に照度計測部を配置し、計測した照度が予め設定されている閾値未満の場合、特定のキー操作のみを有効とする制限モードを設けている。ホームシアター等で周囲の照明を暗くした状態でＤＶＤ再生を行っている状態であれば、リモコン装置はＤＶＤの再生に必要な機能に対応したキーのみを有効とし、その他のキーはあえて無効にしてしまうことで、ユーザの操作間違いを防ぐことを意図している。
【先行技術文献】
【特許文献】
【０００４】
【特許文献１】特開２００９−１１１４５１号
【発明の概要】
【発明が解決しようとする課題】
【０００５】
パーソナルコンピュータにおいて実行される機能は年々増える傾向にあるが、新たにキーやボタンを配置しようとしてもスペース上の制限から、単純にキーやボタンを追加できないことがある。そのため、より多くの機能を搭載するためには工夫が必要となる。
【０００６】
特許文献１に記載された技術では、周囲環境の照度に応じて特定のキーを有効とするか無効とするかを切り替えていると言える。周囲環境に応じて単純に特定のキーの機能を無効とするだけではなく機能を変更することができれば、１つのキーやボタンに複数の機能を持たせることができる。結果として、新たにキーやボタンを追加せずにより多くの機能を搭載することが可能となる。
【０００７】
本発明はこのような事情を鑑みてなされたものであり、その目的はキーやボタンに割り当てられる機能を周囲の明るさに応じて変更することの可能な情報処理装置を提供することにある。
【課題を解決するための手段】
【０００８】
上記目的を達成するために本発明に係る情報処理装置は、情報処理装置であって、本体筐体と、前記本体筐体の上面を覆う閉じ位置と、前記本体筐体の上面が開放される開き位置との間で回動可能となるように前記本体筐体に接続される表示筐体と、前記本体筐体周囲の照度を検出する照度センサと、前記本体筐体の上面に設けられた少なくとも一つのボタンと、前記照度センサにより検出される照度と前記ボタンに割り当てられる機能とを対応付けて設定するためのユーザインタフェースと、前記ボタンが操作された時に、前記照度センサにより検出結果と前記ユーザインタフェースを通じた設定とに応じた機能を実行するためのコードを出力する手段と、を備えることを特徴とする。
【発明の効果】
【０００９】
本発明によれば、キーやボタンに割り当てられる機能を周囲の明るさに応じて変更することの可能な情報処理装置を提供することができる。
【図面の簡単な説明】
【００１０】
【図１】本発明の実施形態に係るコンピュータを示す外観斜視図。
【図２】本発明の実施形態に係るコンピュータの構成を示すブロック図。
【図３】本発明の実施形態に係るファンクションボタンの機能設定インタフェースを模式的に示す図。
【図４】本発明の実施形態に係るファンクションボタンの機能設定例を示す図。
【図５】本発明の実施形態に係るファンクションボタン押下時の機能実行の手順例を示すフローチャート。
【発明を実施するための形態】
【００１１】
以下本発明に係る実施の形態を、図面を参照して説明する。本実施形態では電子機器としてノート型のコンピュータを例に説明する。図１は本発明の実施形態に係るコンピュータを示す外観斜視図である。
【００１２】
コンピュータ１は、本体筐体２と表示筐体３とを備えている。本体筐体２は、上壁２ａ、左右の側壁２ｂ、底壁２ｃ、を有する偏平な箱状をなしている。上壁２ａは、キーボード９を支持している。
【００１３】
さらに、本体筐体２は、底壁２ｃを有するベース６と、上壁２ａを有するトップカバー７とに分割されている。トップカバー７は、ベース６を上方から覆うとともに、このベース６に取り外し可能に支持されている。
【００１４】
本体筐体２には表示筐体３がヒンジ部４を介して回動可能に取り付けられている。表示筐体３は本体筐体２の上壁２ａが開放される開き位置と、本体筐体２の上壁２ａが覆われる閉じ位置とで回動可能である。表示筐体３内にはＬＣＤ（Ｌｉｑｕｉｄ  Ｃｒｙｓｔａｌ  Ｄｉｓｐｌａｙ）３ａから構成される表示装置が組み込まれる。
【００１５】
本体筐体２の上壁２ａには、ユーザによる入力操作を行うためのタッチパッド８およびキーボード９が取り付けられる。また、本体筐体２の上壁２ａにはコンピュータ１の電源をオン／オフするための電源スイッチ１０も設けられる。
【００１６】
本体筐体２の上壁２ａには、ＬＥＤ１１、照度センサ１２、ファンクションボタン１３も設けられる。
ＬＥＤ１１は、コンピュータ１の電源状態やＨＤＤへのアクセス状態を示すインジケータとしての役割を果たす。また、暗い部屋でコンピュータ１が使用されている時に、点灯したり点滅したりすることでコンピュータ１を装飾するイルミネーションとしての役割を果たすこともできる。
【００１７】
照度センサ１２は、照度センサ１２に照射される光量を測定することで照度センサ１２周囲の照度を検出することができる。結果として、照度センサ１２はコンピュータ１の周囲環境の照度を検出することができる。図１では、本体筐体２の上壁２ａに照度センサ１２が設けられている例を示しているが、コンピュータ１の周囲環境の照度を検出することができるのであれば、他の位置に設けても良い。
【００１８】
ファンクションボタン１３は、予め割り当てられた機能を実行するためのボタンである。ファンクションボタン１３が操作された時に実行される機能としては、例えば、ＬＣＤ３ａの輝度を調整する機能や、ＤＶＤを再生する機能や、ＬＥＤ１１を点灯／消灯する機能などが挙げられる。このファンクションボタン１３にどの機能を割り当てるかはユーザインタフェースを通じて設定することができる。図１にはファンクションボタン１３を二つ図示しているが、ファンクションボタン１３をいくつ設けるかは任意である。また複数設けたファンクションボタン１３に、それぞれ異なる機能を割り当てても良い。
【００１９】
図２は本発明の実施形態に係るコンピュータの構成を示すブロック図である。コンピュータ１には、ＣＰＵ２０、チップセット２１、主メモリ（ＲＡＭ）２２、グラフィックスコントローラ２３、ハードディスクドライブ（ＨＤＤ）２４、ＢＩＯＳ−ＲＯＭ２５、エンベデッドコントローラ／キーボードコントローラＩＣ（ＥＣ／ＫＢＣ）３０、および表示装置３ａ、タッチパッド８、キーボード９、電源スイッチ１０、ＬＥＤ１１、照度センサ１２、ファンクションボタン１３等が設けられている。
【００２０】
ＣＰＵ２０は、コンピュータ１の各コンポーネントの動作を制御するプロセッサである。このＣＰＵ２０は、ＨＤＤ２４から主メモリ（ＲＡＭ）２２にロードされるオペレーティングシステムおよび各種アプリケーションプログラム／ユーティリティプログラムを実行する。主メモリ（ＲＡＭ）２２は、各種データバッファの格納にも用いられる。
【００２１】
また、ＣＰＵ２０は、ＢＩＯＳ−ＲＯＭ２５に格納されたＢＩＯＳ（Ｂａｓｉｃ  Ｉｎｐｕｔ  Ｏｕｔｐｕｔ  Ｓｙｓｔｅｍ）も実行する。ＢＩＯＳはハードウェア制御のためのプログラムである。ＢＩＯＳにはＢＩＯＳドライバ群が含まれ、各ＢＩＯＳドライバは、ハードウェア制御のための複数の機能をオペレーティングシステムやアプリケーションプログラムに提供するために、それらの機能に対応する複数のファンクション実行ルーチン群を含んでいる。
【００２２】
また、ＢＩＯＳはＨＤＤ２４のような記憶装置からオペレーティングシステムを主メモリ（ＲＡＭ）２２に展開して、コンピュータ１をユーザが操作可能な状態にするための処理も実行する。
【００２３】
チップセット２１は、ＣＰＵ２０とのインタフェース、主メモリ（ＲＡＭ）２２とのインタフェース、グラフィックスコントローラ２３とのインタフェースを備えている。また、エンベデッドコントローラ３０との通信も行う。
【００２４】
グラフィックスコントローラ２３は、コンピュータ１のディスプレイモニタとして使用されるＬＣＤ３ａを制御する。グラフィックスコントローラ２３は、ＯＳまたはアプリケーションプログラムによってＶＲＡＭ２３１に書き込まれた表示データに対応する映像信号をＬＣＤ３ａに送出する。
【００２５】
ＨＤＤ２４は、ＯＳや各種のアプリケーションプログラム／ユーティリティプログラムおよびデータファイルを格納する。また、ファンクションボタン１３に割り当てられる機能と、照度との対応付けを規定した設定テーブルもＨＤＤ２４に格納される。
【００２６】
ＥＣ／ＫＢＣ（エンベデッドコントローラ／キーボードコントローラ）３０は、コンピュータ１の電源管理のためのコントローラと、タッチパッド８、キーボード９、ファンクションボタン１３などを制御するキーボードコントローラとが集積された１チップのマイクロコンピュータである。
【００２７】
ＥＣ／ＫＢＣ３０は、電源コントローラ３１と共同して、ユーザによる電源スイッチ１０の操作に応答してコンピュータ１をパワーオン／パワーオフする処理を実行する。電源コントローラ３１は、コンピュータ１に内蔵されたバッテリ３２からの電力、またはＡＣアダプタ３３を介して外部から供給される電力を用いて、コンピュータ１内の各コンポーネントに電力を供給する。
【００２８】
ＥＣ／ＫＢＣ３０は、直接にあるいは図示しないＬＥＤコントローラを仲介させて、ＬＥＤ１１の点灯、消灯を制御する。ＥＣ／ＫＢＣ３０には、レジスタ３０ａが設けられる。レジスタ３０ａには、照度センサ１２により検出された照度の値が記憶される。
【００２９】
図３は本発明の実施形態に係るファンクションボタンの機能設定インタフェースを模式的に示す図である。本実施形態では、ユーティリティプログラムを通じて提供されるユーザインタフェースによりファンクションボタン１３に割り当てる機能と照度との対応付けを設定することができる。
【００３０】
「ファンクションボタンの機能設定」の項目では、照度センサ１２によって得られる周囲の明るさに応じて、ファンクションボタン１３に割り当てる機能を設定することができる。明るい時にファンクションボタン１３が操作された時に実行される第１の機能と、暗い時にファンクションボタン１３が操作された時に実行される第２の機能と、を個別に設定することが可能である。図３では、明るい時にファンクションボタン１３が操作された時には、イルミネーションＬＥＤを消灯する機能が実行され、暗い時にファンクションボタン１３が操作された時には、ＤＶＤ再生を開始する（同時にＬＣＤ輝度を下げる）機能が実行される設定となった状態が示されている。
【００３１】
なお、明るい時にファンクションボタン１３が操作された時には、ＤＶＤ再生が実行され、暗い時にファンクションボタン１３が操作された時にも、ＤＶＤ再生が実行される、といったように、第１の機能と第２の機能として、同じ機能を割り当てることも可能である。また、ファンクションボタン１３が操作された場合であっても、特に何も行わない設定とすることも可能である。
【００３２】
「基準照度の設定」の項目では、明るい時、暗い時の基準となる照度を設定することができる。ユーザインタフェース画面の中で、照度レベルを表す目盛り上に示されるカーソルＣ１を移動させることで基準照度（閾値）を設定することができる。
【００３３】
図３では、基準照度（閾値）として「照度レベル３」が設定されている例を示している。この照度レベル３を閾値とし、照度センサ１３により検出される照度レベルが１〜３であれば（すなわち閾値以下であれば）周囲環境が「暗い」とされ、照度センサ１３により検出される照度レベルが４〜８であれば（閾値より大きければ）周囲環境が「明るい」とされる。
【００３４】
図３では、照度を８段階に分けて基準照度を設定する例を示しているが、より細かく基準照度を設定できるようにしても良い。また、基準となる照度レベル（閾値）に対して、周囲環境を「暗い」とする照度を、「閾値未満（照度＜閾値）」とするか「閾値以下（照度≦閾値）」とするかは任意に設定して良い。同様に基準となる照度レベル（閾値）に対して、周囲環境を「明るい」とする照度を、「閾値以上（照度≧閾値）」とするか「閾値より大きい（照度＞閾値）」とするかは任意に設定して良い。
【００３５】
「機能設定のオン／オフ」の項目では、ファンクションボタン１３に割り当てられる機能を照度に応じて変更するか否かを設定することができる。チェックボックスＣ２にチェックを入れれば「機能設定オン」の状態となり、チェックボックスＣ２のチェックを外せば「機能設定オフ」の状態となる。「機能設定オン」の状態では、ファンクションボタン１３に割り当てられる機能を照度に応じて変更することが可能となる。既に述べたように、例えば、周囲環境が「明るい」時にファンクションボタン１３が操作された時には、イルミネーションＬＥＤを消灯する機能が実行され、周囲環境が「暗い」時にファンクションボタン１３が操作された時には、ＤＶＤ再生を開始する（同時にＬＣＤ輝度を下げる）機能が実行される設定が可能となる。「機能設定オフ」の状態では、ファンクションボタン１３に割り当てられる機能を照度に応じて変更することは行われない。すなわち周囲環境が「明るい」時であっても、「暗い」時であってもファンクションボタン１３にデフォルトとして割り当てられた機能が適用される。例えば、ファンクションボタン１３にデフォルトとして割り当てられた機能が「インターネットブラウザを起動する」機能であれば、周囲環境が「明るい」時であっても、「暗い」時であってもファンクションボタン１３が操作された時には、インターネットブラウザが起動される。
【００３６】
以上の説明のようにユーティリティプログラムが実行され、ファンクションボタン１３に割り当てられる機能と、照度との対応が設定される。この設定は設定テーブルとしてＨＤＤ２４に記憶される。
【００３７】
図４は本発明の実施形態に係るファンクションボタンの機能設定例を示す図である。図４では機能設定例として、パターン１からパターン５までを示している。
パターン１では、周囲環境が「明るい」時には「ＤＶＤ再生を開始する」機能を、周囲環境が「暗い」時には「ＤＶＤ再生を開始する（同時にＬＣＤ輝度を下げる）」機能をファンクションボタン１３に割り当てている。周囲が暗いときにLCD３ａの輝度を下げる（またはＬＣＤ３ａの輝度を最低レベルに切り替える）ことにより、DVD再生されて表示される画像に対して感じる眩しさを抑えることができる。また、ＬＣＤ３ａにより消費される電力も抑えることができる。
【００３８】
パターン２では、周囲環境が「明るい」時には「ＤＶＤ再生を開始する」機能を、周囲環境が「暗い」時には「ＤＶＤ再生を開始する（同時にイルミネーションＬＥＤを消灯する）」機能をファンクションボタン１３に割り当てている。周囲が暗くDVD再生を行う時にイルミネーションＬＥＤを消灯することにより、イルミネーションLEDがＤＶＤ視聴の邪魔になることを防止することができる。また、ＬＥＤ１１により消費される電力も抑えることができる。
【００３９】
パターン３では、周囲環境が「明るい」時には「インターネットブラウザを起動する」機能をファンクションボタン１３に割り当て、周囲環境が「暗い」時には「何も行わない」設定としている。周囲環境が「明るい」時には、インターネットブラウザを起動するボタンとして使用する一方で、周囲環境が「暗い」時には、ファンクションボタン１３に誤って触れたとしてもユーザの意図しない動作が起こらないようにすることができる。
【００４０】
パターン４では、周囲環境が「明るい」時には「ＬＣＤ輝度を変更する」機能を、周囲環境が「暗い」時には「イルミネーションＬＥＤを消灯する」機能をファンクションボタン１３に割り当てている。周囲環境が「明るい」時にはユーザの好みに応じてＬＣＤ輝度を変更することができるようにする一方で、周囲環境が「暗い」時にはユーザがイルミネーションＬＥＤによる装飾を望むか消費電力の低減を優先するかによってＬＥＤ１１の点灯／消灯をすることができるようにしている。
【００４１】
パターン５では、周囲環境が「明るい」時には「ＬＣＤ輝度を変更する」機能を、周囲環境が「暗い」時にも「ＬＣＤ輝度を変更する」機能をファンクションボタン１３に割り当てている。周囲環境が「明るい」時であっても、「暗い」時であってもユーザの好みに応じてＬＣＤ輝度を変更することができるようにしている。
【００４２】
このように、コンピュータ１が使用される周囲環境の照度に応じてファンクションボタン１３が操作された時の機能を切り替えることができる。周囲環境そのものが「暗い」時でなくても、ユーザが照度センサ１３の部分を指などで押さえながら擬似的に「暗い」環境を作り出すこともできる。すなわち周囲環境が「明るい」時であっても、ユーザが通常にファンクションボタン１３を操作した時と、照度センサ１３の部分を指などで押さえながら擬似的に「暗い」環境を作り出してファンクションボタン１３を操作した時とで、ファンクションボタン１３により実行される機能を切り替えるといった使い方も可能である。
【００４３】
図５は本発明の実施形態に係るファンクションボタン押下時の機能実行の手順例を示すフローチャートである。ＥＣ／ＫＢＣ３０を通じてファンクションボタン１３が操作されたことを検出する（ステップ１−１）。ファンクションボタン１３が操作されたことを検出すると、照度センサ１２によりコンピュータ１の周囲環境の照度が検出される（ステップ１−２）。照度センサ１２によって検出された照度は、ＥＣ／ＫＢＣ３０に通知され、ＥＣ／ＫＢＣ３０は通知された照度をレジスタ３０ａに保持する。ＥＣ／ＫＢＣ３０は、ファンクションボタン１３が操作されたことに対応するコードを、ＢＩＯＳを通してＯＳに通知する。ＥＣ／ＫＢＣ３０は、この時に検出された照度が「明るい」か「暗い」かにより、ファンクションボタン１３の操作に応答してどのようなコードをＢＩＯＳ、ＯＳに通知するかを変更する。
【００４４】
照度センサ１２によりコンピュータ１の周囲環境の照度が検出されると、ＥＣ／ＫＢＣ３０は照度センサ１２によって検出された照度を閾値と比較する（ステップ１−３）。検出された照度が閾値よりも大きいときには（ステップ１−３のＹｅｓ）、ＥＣ／ＫＢＣ３０は、周囲環境が「明るい」状態でファンクションボタン１３が操作されたことに対応するコードを、ＢＩＯＳを通してＯＳに通知する（ステップ１−４）。そして、図３や図４に例示したように、周囲環境が「明るい」状態に対応する機能が実行される（ステップ１−５）。
【００４５】
一方、検出された照度が閾値以下であるときには（ステップ１−３のＮｏ）、ＥＣ／ＫＢＣ３０は、周囲環境が「暗い」状態でファンクションボタン１３が操作されたことに対応するコードを、ＢＩＯＳを通してＯＳに通知する（ステップ１−６）。そして、図３や図４に例示したように、周囲環境が「暗い」状態に対応する機能が実行される（ステップ１−７）。
【００４６】
ステップ１−３では、「照度が閾値より大きい？」として判断しているが、「照度が閾値以上？」、「照度が閾値未満？」、「照度が閾値以下？」として判断しても良い。なお、照度の通知と照度に応じた機能の実行をするにあたり、変形例として以下の方法を採用しても良い。
【００４７】
まず第１の変形例を示す。ファンクションボタン１３が操作されたときにＥＣ／ＫＢＣ３０は外部照度に関わらず一定のコードをBIOSに通知する。BIOSはコードを受け取ったときにEC／ＫＢＣ３０経由で照度センサ１２により外部の照度を読み取り、読み取った値が予め設定された一定の閾値以上の場合、OSに明照度用のコード（周囲環境が「明るい」状態でファンクションボタン１３が操作されたことに対応するコード）を返却する。外部の照度が閾値未満の場合、OSに対して暗照度用のコード（周囲環境が「暗い」状態でファンクションボタン１３が操作されたことに対応するコード）を返却する。
【００４８】
次に第２の変形例を示す。ファンクションボタン１３が操作されたときにＥＣ／ＫＢＣ３０およびBIOSは外部照度に関わらず一定のコードをOSに通知する。OSはコードを受け取ったときにBIOS、EC／ＫＢＣ３０経由で照度センサ１２より外部の照度を読み取り、読み取った値が予め設定された一定の閾値以上の場合に明照度用の機能（周囲環境が「明るい」状態でファンクションボタン１３が操作されたことに対応する機能）を実行し、閾値未満の場合に暗照度用の機能（周囲環境が「暗い」状態でファンクションボタン１３が操作されたことに対応する機能）を実行する。
【００４９】
また、本実施形態ではファンクションボタン１３を例に説明しているが、ファンクションボタン１３に限らずとも、他のキーやボタンの機能を周囲環境の照度に応じて変更することも可能である。
【００５０】
本発明の実施形態によれば、キーやボタンに割り当てられる機能を周囲の明るさに応じて変更することの可能な情報処理装置を提供することができる。
本発明ではその主旨を逸脱しない範囲であれば、上記の実施形態に限定されるものではなく種々の変形が可能である。
【符号の説明】
【００５１】
１…コンピュータ、２…本体筐体、３…表示筐体、４…ヒンジ、８…タッチパッド、９…キーボード、１０…電源スイッチ、１１…ＬＥＤ、１２…照度センサ、１３…ファンクションボタン、２０…ＣＰＵ、２１…チップセット、２２…主メモリ、２３…グラフィックスコントローラ、２４…ＨＤＤ、２５…ＢＩＯＳ−ＲＯＭ、３０…エンベデッドコントローラ、３１…電源コントローラ、３２…バッテリ、３３…ＡＣアダプタ
【図１】
2011159083.tif 000003
【図２】
2011159083.tif 000004
【図３】
2011159083.tif 000005
【図４】
2011159083.tif 000006
【図５】
2011159083.tif 000007
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
情報処理装置であって、
本体筐体と、
前記本体筐体の上面を覆う閉じ位置と、前記本体筐体の上面が開放される開き位置との間で回動可能となるように前記本体筐体に接続される表示筐体と、
前記本体筐体周囲の照度を検出する照度センサと、
前記本体筐体の上面に設けられた少なくとも一つのボタンと、
前記照度センサにより検出される照度と、前記ボタンに割り当てられる機能と、この割り当てられる機能の実行とともに輝度を変更する機能と、を対応付けて設定することの可能なユーザインタフェースと、
前記ボタンが操作された時に、前記照度センサによる検出結果と前記ユーザインタフェースを通じた設定とに応じた機能を実行するためのコードを出力する手段と、
を備えることを特徴とする情報処理装置。
【請求項２】
前記ユーザインタフェースは、前記照度センサにより第１の照度が検出される場合に前記ボタンに割り当てられる第１の機能と、前記照度センサにより第２の照度が検出される場合に前記ボタンに割り当てられる第２の機能とを設定可能であることを特徴とする請求項１記載の情報処理装置。
【請求項３】
前記ユーザインタフェースは、前記照度センサにより検出される照度を第１の照度として扱うか、第１の照度よりも大きい第２の照度として扱うかを決める閾値となる基準照度を設定可能であることを特徴とする請求項２記載の情報処理装置。
【請求項４】
前記照度センサにより第１の照度が検出される場合に前記ボタンに割り当てられる第１の機能と、前記照度センサにより第２の照度が検出される場合に前記ボタンに割り当てられる第２の機能とを同一の機能として設定可能であることを特徴とする請求項３記載の情報処理装置。
【請求項５】
情報処理装置であって、
本体筐体と、
前記本体筐体の上面を覆う閉じ位置と、前記本体筐体の上面が開放される開き位置との間で回動可能となるように前記本体筐体に接続される表示筐体と、
前記照度センサ周囲の照度を検出する照度センサと、
前記本体筐体の上面に設けられた少なくとも一つのボタンと、
前記照度センサにより検出される照度と、前記ボタンに割り当てられる機能と、この割り当てられる機能の実行とともに輝度を変更する機能と、を対応付けて設定することの可能な設定手段と、
前記ボタンが操作された時に、前記照度センサによる検出結果と前記設定手段による設定とに応じた機能を実行させる制御手段と、
を備えることを特徴とする情報処理装置。
【請求項６】
前記設定手段は、前記照度センサにより第１の照度が検出される場合に前記ボタンに割り当てられる第１の機能と、前記照度センサにより第２の照度が検出される場合に前記ボタンに割り当てられる第２の機能とを設定可能であることを特徴とする請求項５記載の情報処理装置。
【請求項７】
前記設定手段は、前記照度センサにより検出される照度を第１の照度として扱うか、第１の照度よりも大きい第２の照度として扱うかを決める閾値となる基準照度を設定可能であることを特徴とする請求項６記載の情報処理装置。
【請求項８】
前記照度センサにより第１の照度が検出される場合に前記ボタンに割り当てられる第１の機能と、前記照度センサにより第２の照度が検出される場合に前記ボタンに割り当てられる第２の機能とを同一の機能として設定可能であることを特徴とする請求項７記載の情報処理装置。
【手続補正２】
【補正対象書類名】明細書
【補正対象項目名】０００８
【補正方法】変更
【補正の内容】
【０００８】
上記目的を達成するために本発明に係る情報処理装置は、本体筐体と、前記本体筐体の上面を覆う閉じ位置と、前記本体筐体の上面が開放される開き位置との間で回動可能となるように前記本体筐体に接続される表示筐体と、前記本体筐体周囲の照度を検出する照度センサと、前記本体筐体の上面に設けられた少なくとも一つのボタンと、前記照度センサにより検出される照度と、前記ボタンに割り当てられる機能と、この割り当てられる機能の実行とともに輝度を変更する機能と、を対応付けて設定することの可能なユーザインタフェースと、前記ボタンが操作された時に、前記照度センサによる検出結果と前記ユーザインタフェースを通じた設定とに応じた機能を実行するためのコードを出力する手段と、を備えることを特徴とする。